【事件の表示】
　平成１１年特許願第２８９７８１号「発光型ディスプレイ装置」拒絶査定不服審判事件〔平成１３年　４月２０日出願公開、特開２００１−１０９４１３〕について、次のとおり審決する。
【結　論】
　本件審判の請求は、成り立たない。
【理　由】
１．手続の経緯
　本件審判請求に係る出願は、平成１１年１０月１２日の出願であって、平成２０年１１月４日付けの拒絶理由通知に対して、同年１２月１８日付けで意見書及び手続補正書が提出され、更に、平成２１年６月８日付けの拒絶理由（最後）に対して、同年８月５日付けで意見書及び手続補正書が提出されたところ、平成２２年３月３１日付けで、前記平成２１年８月５日付け手続補正について補正の却下の決定がなされると共に、拒絶査定がなされたものである。
　これに対して、平成２２年６月２８日付けで拒絶査定不服審判が請求されると同時に、明細書についての手続補正がなされ、当審において、平成２３年１月２７日付けで審判審尋を行ったところ、同年３月２３日付けで回答書が提出された。 
　その後、当審において、平成２３年５月２０日付けで拒絶理由を通知したところ、同年７月１５日付けで意見書及び手続補正書が提出された。
　
２．本願発明
　本願の請求項１に係る発明は、平成２３年７月１５日付けの手続補正により補正された特許請求の範囲の請求項１に記載された事項により特定される、次のとおりのものである（以下「本願発明１」という。）。
　「可撓性を有する樹脂フィルム基板上に多数個の発光体が形成され全体が薄厚に構成されてなり、該樹脂フィルム基板には該発光体各々の電極に接続された回路パターンが形成されているとともに、該樹脂フィルム基板の一端部にはコネクタ端子部が形成されている発光部と、
　上記発光部とほぼ等しい外形寸法の可撓性を有する透明な樹脂フィルムを素材として透光パターン部と遮光パターン部とからなる所定の表示パターンが印刷によって設けられ上記発光部の一方の主面上に積層されたシート状表示部と、
　それぞれ金属箔からなる金属集電体に極活物質を塗布してなる負極材と正極材とをポリマー電解質を介して積層し、これらを樹脂フィルムとアルミニウム箔とを接合したラミネートフィルムからなる外装体によって封装することにより全体が上記発光部と上記表示部の積層体とほぼ等しい外形寸法を有し薄厚でかつ可撓性を付与されシート状に構成されて上記発光部の他方の主面に接合されたポリマー二次電池とから構成され、
　上記ポリマー二次電池の負極端子及び正極端子が上記発光部のコネクタ端子部と接続されて上記発光部に電源を供給することによって駆動し、上記表示部の表示パターンを発光表示するようにした巻回可能な発光型ディスプレイ装置。」
　
３．引用刊行物とそれに記載された事項及び発明
　(１)当審における拒絶理由において引用した、特開平６−３４８２１５号公報（以下「引用文献１」という。）には、図面（特に図１ないし３、図７参照）と共に、次の事項が記載されている。
　以下、下線は審決において付すものである。
　ア．段落【0001】
　「【産業上の利用分野】本発明に係る
ＥＬランプの薄型防水機能付きフレキシブルデスプレー
　イ．段落【0004】１ないし12行
　「【発明が解決しようとする技術的課題】ＥＬランプは、それ自体防水性のある樹脂製の膜で中のＥＬ素子を覆われているものである。その接点の周囲にはシリコン樹脂で防水されているから、水は引き出し線のリード線を伝って簡単にはパネルの中に入っていけないようになっているが、その接点に接続するリード線の端自体は空気に直接さらされているので最も弱点となっている部分である。なぜなら、いつも外気にさらされているため、その部分は、酸性の雨水や海水の塩害などにより最も弱い部分となるから、そのようなＥＬパネルを光源とする照明類の装置には、更に、ＥＬパネルの外側に防水加工をすることが必要になる。」
　ウ．段落【0006】１ないし６行
　「【作用】このような本発明の構成により、この発明に係る
ＥＬランプの薄型防水機能付きフレキシブルデスプレーは、全体に薄く軽くなる
　エ．段落【0009】
　「符号に基づいて部品の注釈を加え説明する。 
１は、ＥＬランプ
２は、デザインフイルムシート、これは、ＥＬランプの発光により照明される標識や広告看板等の文字、数字、記号や図形の所謂デザインを表示した可撓性（フレキシブル）のフイルムシート
３は、透明なフレキシブルな塩化ビニール製の樹脂シート
７は、ＥＬランプに電通する導線であり、８は、そのＥＬランプの接点
１４は、防水のためにデザインフイルムシートと共にＥＬランプを入れる袋部
　オ．段落【0010】
　「ＥＬランプの薄型防水機能付きフレキシブルデスプレーにおいて、透明度のあるフレキシブルな表裏の樹脂シート３を合わせ、その周りを融着し、その間にＥＬランプ１及びデザインを施してなるフイルムシート２を入れる袋部１４を設け、その入り口部１５及びＥＬランプへの導線（リード線）の通穴９を残して表裏の該樹脂シート３を融着することにより融着部４を設け、該袋部入り口及び通穴を設け、入り口部１５の表裏樹脂シートに点チャック５のひだをそれぞれ融着し、この点チャックを開いてその
袋部１４の中にＥＬランプを挿入し、これをＥＬ固定部材１６で袋内部の樹脂シートに取り付け
ＥＬランプの前面にデザインフイルムシートを挿入し
ＥＬランプ及びそのデザインフイルムシートを共に収納し、防水機能を備え、薄型で可撓性を有し、軽量なものである
バッテリー
ＥＬランプを駆動する
デザインフイルムシートの光源とするＥＬランプを発光させる
　
　引用文献１の図１ないし３からみて、ＥＬランプとデザインフイルムシートとは、ほぼ同じ大きさに形成されている、即ち、ほぼ等しい外形寸法を有していることは明らかであり、図７からみて、ＥＬランプの防水機能付きフレキシブルデスプレーは、巻回可能であることは明らかであり、更に、上記記載事項等を併せ勘案すると、引用文献１には、次の発明（以下「引用文献１記載発明」という。）が開示されていると認められる。
　「バッテリーにより発光する、接点を有するＥＬランプと、
　ＥＬランプの発光により照明され、ＥＬランプとほぼ等しい外形寸法を有し、標識や広告看板等の文字、数字、記号や図形のデザインを表示した可撓性（フレキシブル）のフイルムシートであるデザインフイルムシートと、
　透明なフレキシブルな塩化ビニール製の樹脂シートの周りを融着した袋部とから構成され、
　フレキシブルな樹脂シート製の袋部に、ＥＬランプと可撓性（フレキシブル）のフイルムシートであるデザインフイルムシートを共に挿入し、
　ＥＬランプの接点に接続される導線を、バッテリーに接続することにより、デザインフイルムシートの光源とするＥＬランプを発光させる、
　薄型で可撓性を有し、巻回可能なＥＬランプの防水機能付きフレキシブルデスプレー。」
　
　(２)同じく引用した特開平２−２５５１６６号公報（以下「引用文献２」という。）には、図面（特に第６及び７図参照）と共に、次の事項が記載されている。
　カ．同２頁左下欄６行ないし３頁右上欄６行
　「（実施例３）
　第６図は、本発明の第３の実施例を示す図であり、本実施例では、太陽電池２と、発光ダイオード等による表示部３、シート状操作パネル１０が
フレキシブルシート９上に、
背面には、
シート状蓄電池１１が、
一体的に作製されている
　太陽電池２、表示部３、操作パネル１０、
蓄電池１１は、フレキシブルな材質のものであれば好適である
　本実施例は、第７図のように
丸めて収納し、簡単に持ち運べ
　
４．対比
　本願発明１と引用文献１記載発明とを対比する。
　ａ．引用文献１記載発明の「接点」は、本願発明１の「コネクタ端子部」に相当する。
　ｂ．引用文献１記載発明の「ＥＬランプの防水機能付きフレキシブルデスプレー」は、薄型で可撓性を有しているものであるから、袋部に挿入される「ＥＬランプ」も、全体が薄厚に構成されたものと解され、また、該「ＥＬランプ」は、ＥＬランプの防水機能付きフレキシブルデスプレーの「発光部」であるから、本願発明１の「発光部」に相当する。
　ｃ．引用文献１記載発明の「デザインフイルムシート」は、「標識や広告看板等の文字、数字、記号や図形のデザインを表示した可撓性（フレキシブル）のフイルムシート」であるところ、それらデザインが広告等に用いられることから勘案すると、該フィルムシートには、透明な樹脂フィルムに透光パターン部と遮光パターン部とが印刷により設けられているものが含まれることはいうまでもないから、引用文献１記載発明の「デザインフイルムシート」は、本願発明１の「シート状表示部」に相当する。
　ｄ．本願発明１の「シート状表示部」は、「発光部の一方の主面上に
積層
　本願明細書の段落【0012】には「発光型ディスプレイ装置１は、図１に示すように
表示部２と
発光部３と
リチウムイオンポリマー二次電池４（ポリマー二次電池）とが積層されて
ポリマー二次電池４は
一方の主面に表示部２を積層した発光部３の他方主面に
接着剤等によって接合される
　これらの記載によれば、表示部と発光部とポリマー二次電池とは、それぞれ
積層
接着剤により接合される
　即ち、本願発明１の「積層」とは、
接着剤により接合
　他方、引用文献１記載発明のＥＬランプは、デザインフイルムシートと共に袋部に挿入され、重ねられている（引用文献１の図２参照）が、接着剤により接合されているか否かは定かでないので、この点は相違点として検討する。
　ｅ．本願発明１の「ポリマー二次電池」と引用文献１記載発明の「バッテリー」とは、発光部に電源を供給する電源供給部材である点で共通するものである。
　ｆ．引用文献１記載発明の「ＥＬランプの防水機能付きフレキシブルデスプレー」も発光するものであるから、「発光型ディスプレイ装置」といい換えることができる。
　
　以上によれば、本願発明１と引用文献１記載発明とは、次の点で一致及び相違している。 
《一致点》 
　「全体が薄厚に構成されてなり、一端部にはコネクタ端子部が形成されている発光部と、
　上記発光部とほぼ等しい外形寸法の可撓性を有する透明な樹脂フィルムを素材として透光パターン部と遮光パターン部とからなる所定の表示パターンが印刷によって設けられ上記発光部の一方の主面上に重ねられたシート状表示部と、
　電源供給部材とから構成され、
　上記電源供給部材が上記発光部のコネクタ端子部と接続されて上記発光部に電源を供給することによって駆動し、上記表示部の表示パターンを発光表示するようにした巻回可能な発光型ディスプレイ装置。」
《相違点１》
　発光部が、本願発明１では、「可撓性を有する樹脂フィルム基板上に多数個の発光体が形成され」、「該樹脂フィルム基板には該発光体各々の電極に接続された回路パターンが形成されている」ものであり、「樹脂フィルム基板の一端部」にコネクタ端子部が形成されているのに対して、引用文献１記載発明では、ＥＬランプである点。
《相違点２》
　発光部とシート状表示部とが重ねられている点について、本願発明１では、接着剤等によって接合されているのに対して、引用文献１記載発明では、接着されているか否か定かでない点。
《相違点３》
　電源供給部材が、本願発明１では、「それぞれ金属箔からなる金属集電体に極活物質を塗布してなる負極材と正極材とをポリマー電解質を介して積層し、これらを樹脂フィルムとアルミニウム箔とを接合したラミネートフィルムからなる外装体によって封装することにより全体が上記発光部と上記表示部の積層体とほぼ等しい外形寸法を有し薄厚でかつ可撓性を付与されシート状に構成されて上記発光部の他方の主面に接合されたポリマー二次電池」であるのに対して、引用文献１記載発明では、バッテリーである点。
《相違点４》
　本願発明１では、「ポリマー二次電池の負極端子及び正極端子が発光部のコネクタ端子と接続され」るのに対して、引用文献１記載発明では、ＥＬランプの接点には、バッテリーに接続する導線が接続されている点。
　
５．判断
(１)相違点１について
　多数個のＥＬ素子が、樹脂基板上に形成され、各ＥＬ素子の電極が回路パターンにより接続されたものは、例えば、実公平３−２２８７６号公報（４欄43行〜５欄19行、６欄24〜29行、８欄11〜12行等参照）、特開平９−３０６６６８号公報（段落【0009】等参照）、特開平１０−１７２７６３号公報（段落【0002】、【0007】、【0015】等参照）等に記載されるように、周知の技術手段である。
　刊行物１記載発明は「薄型で可撓性を有し、巻回可能」なものであるから、引用文献１記載発明の発光部に上記周知の手段を採用し、樹脂基板上に多数個のＥＬ素子の各電極が、回路パターンで接続されたものとし、その際、樹脂基板を可撓性を有するフィルム状とし、該可撓性の樹脂フィルム基板の一端部にコネクタ端子部を形成することは、当業者が容易に想到し得ることと認められる。
　
(２)相違点２について
　引用文献１記載発明において、デザインフィルムシートがＥＬランプとずれてしまうと、デザインの一部（ずれた部分）が明確に発光表示されなくなることは明らかである。
　してみると、デザインフィルムシート（シート状表示部）がＥＬランプ（発光部）とずれないように重ねることは、引用文献１記載発明における自明の課題であるから、シート状表示部と発光部とを重ねる際に、接着剤等で接合することは、当業者が容易に想到し得ることと認められる。
　
(３)相違点３について
　相違点３に係る「それぞれ金属箔からなる金属集電体に極活物質を塗布してなる負極材と正極材とをポリマー電解質を介して積層し、これらを樹脂フィルムとアルミニウム箔とを接合したラミネートフィルムからなる外装体によって封装したシート状のポリマー二次電池」は、特開平９−２５９９２９号公報（段落【0012】、【0019】、【0038】、【0039】等参照、以下「周知文献１」という。）、特開平１１−２７３７３５号公報（段落【0002】、【0027】、【0029】、【0033】等参照、以下「周知文献２」という。）等に記載されるように、周知の技術手段である。
　そして、上記周知のポリマー二次電池は、薄型で、且つ、柔軟性のあるアルミラミネートフィルムの電槽に密閉収納されている点等からみて、可撓性を有しているといえる。
　
　引用文献１記載発明は、電源としてバッテリーを使用するものであるところ、該バッテリーは、リード線により、ＥＬランプの接点と接続されるものであるから、バッテリーはフレキシブルデスプレーに直接接合されるものではなく、又、シート状のものであるか否かも定かではない。
　ただ、引用文献１には、接点に接続されるリード線の端は空気にさらされているため最弱点となっている、旨の記載があり（段落【0004】参照）、この記載は、最弱点であるリード線はできれば無くした方が良いことをうかがわせるものであるから、リード線を無くす、あるいは、できるだけ短くすることは、引用文献１記載発明の自明の課題である。
　他方、引用文献２には、丸めて簡単に持ち運べるようにした表示装置において、該表示装置の電源として、フレキシブルシートの背面に一体的に作成された、フレキシブルなシート状蓄電池を用いることが記載されている。
　即ち、フレキシブルなシート状蓄電池を電源として用い、フレキシブルシートの背面に一体的に作成することは、公知の技術事項である。
　してみると、引用文献１記載の上記自明の課題を解決するために、発光部と電源を接近させるべく、引用文献２記載の技術事項を適用して、引用文献１記載発明のフレキシブルデスプレーのＥＬランプ（発光部）の背面にフレキシブルなシート状蓄電池を一体的に作成し、丸めて持ち運べるようにすることは、当業者が容易に想到し得ることと認められ、シート状蓄電池として、具体的に周知のポリマー二次電池を採用することに格別の困難性は認められない。
　そして、ポリマー二次電池を採用するに際し、ポリマー二次電池は、その面積に比例して蓄電能力が高くなるものであるから、その面積をできるだけ大きくすること、即ち、接合される発光部とほぼ同じ大きさ（外形）とすることは、持久力等の点からみて、当然の設計事項である。
　
(４)相違点４について
　相違点３の検討の際に例示した周知文献１及び２には、ポリマー二次電池が負極端子及び正極端子を有することも記載されている（周知文献１の段落【0018】、周知文献２の段落【0032】等参照）。
　なお付言すれば、負極端子及び正極端子が外部に導出される（露呈する）ことも記載されている。
　上記相違点３において検討したとおり、周知のポリマー二次電池を発光部の他方の主面に接合することは当業者が容易に想到し得ることであり、そうすると、ポリマー二次電池を発光部と電気的に接続しなければならないことは自明であるところ、ポリマー二次電池は、上記のとおり、負極端子及び正極端子を有しているから、該負極端子及び正極端子を、発光部のコネクタ端子部と接続することは、当然の設計事項である。
　
(５)まとめ
　以上のとおりであるから、上記各相違点に係る特定事項は、当業者が適宜想到可能なものであり、それにより得られる作用効果も当業者であれば容易に推察可能なものであって、格別なものとはいえない。 
　したがって、本願発明１は、引用文献１記載発明、引用文献２記載の技術事項及び周知の技術手段に基づいて、当業者が容易に発明をすることができたものである。  
　
６．むすび  
　以上のとおり、本願発明１は、特許法第２９条第２項の規定により特許を受けることができないものであるから、他の請求項に係る発明を検討するまでもなく、本願は、拒絶されるべきものである。
　よって、結論のとおり審決する。